(57)【要約】【課題】工具が不要として比較的軽い力で扉の開放が可能で、かつ開放時に部品の飛び散るのを防止した受け座を提供することである。【解決手段】扉錠のラッチを係止して扉を閉止状態に維持する扉錠用の受け座において、ラッチを係止するラッチ係止部材４が、扉の開放方向に移動可能に、外部操作可能な解除部材２により固定が解除される固定手段５を介して受け座本体１に装填されている。【選択図】  図１−Ｂ
2006257639.tif 000002
【特許請求の範囲】
【請求項１】
扉錠のラッチを係止して扉を閉止状態に維持する扉錠用の受け座において、
前記ラッチを係止するラッチ係止部材が、扉の開放方向に移動可能に、外部操作可能な解除部材により固定が解除される固定手段を介して受け座本体に装填されている扉錠用の受け座。
【請求項２】
前記ラッチ係止部材に保持部材が設けられ、前記受け座本体には前記保持部材を所定位置まで移動可能とする溝が形成されている請求項１に記載の扉錠用の受け座。
【請求項３】
前記ラッチ係止部材が、ラッチ挿入窓形成部と前板部との２つの部材により構成され、前記前板部と前記ラッチ挿入窓形成部との相対距離が調整可能に構成されている請求項１に記載の扉錠用の受け座。
【請求項４】
前記固定手段は、常時は付勢手段により前記受け座本体に係合する位置を維持し、前記解除部材が操作されたとき前記受け座本体から退避する方向に移動するように構成されている請求項１に記載の扉錠用の受け座。
【請求項５】
前記固定手段が斜面を有し、前記解除部材が操作されたとき前記斜面に沿って移動することにより固定が解除される請求項１に記載の扉錠用の受け座。
【請求項６】
前記受け座本体の前記固定手段の前記斜面に対向する位置に前記斜面とに係合する第２の斜面が形成されていて、前記ラッチ係止部材が前記扉の閉止方向への移動により後退するように構成されている請求項１に記載の扉錠用の受け座。
【請求項７】
前記ラッチ係止部材と前記受け座本体との間に、前記ラッチ係止部材を前記扉の開放方向に付勢する付勢部材が介装されている請求項１に記載の扉錠用の受け座。
【発明の詳細な説明】
【技術分野】
【０００１】
本発明は、非常用開放機構を備えた扉錠用の受け座に関する。
【背景技術】
【０００２】
握り玉やレバーを操作してラッチを出没させるように構成された扉錠は、通常、扉の端面から内部に挿入して、その端面にネジで固定するように構成され、また、受座は扉の端面と対向する柱（または壁部）の面に同じくネジで固定するに構成されている。
扉錠自体は、その耐久性がほぼ半永久的であるものの、長年の使用によりガタツキが生じた状態で使用されることにより磨耗などにより障害、たとえば扉錠の内部に設けたカムやバネ部材等が喰い込んで、まれに、ラッチが受座に係合した状態でロックしてしまい、扉を開くことが困難となり、部屋に閉じ込められてしまうという問題がある。
【０００３】
このよう問題に対処するため、本出願人は特許文献１に見られるように、扉錠と対向する面から他の面に向けて形成した切込み部に、扉錠のラッチと当接する部材を、他の面に向けてネジなどで離脱可能に取付けるようにしたものを提案した。
しかし、止部が部屋の外側に位置するため他人にネジをはずしてもらう必要があり、単独では扉を開放することができないなどの問題がある。
【０００４】
また、一側が開いたトロ箱本体の両側壁に、トロ箱本体の開放部側から装着する当接部材４７の両側に、トロ箱の内面の上下にラックを係止し、このラックに強いバネによって外向き（上下方向）に付勢した係合駒をラックの歯間に係合させることも提案されている。
これによれば、工具は不要となるものの、相当の力を扉に掛ける必要上、開放された場合には勢いあまって転倒する恐れがあるばかりでなく、トロ箱に組み込まれている係合駒やバネがばらばらに飛散するため、再利用する場合には面倒な組み立て作業が必要となる等の問題もある。
【特許文献１】特開平9-49351号公報
【発明の開示】
【発明が解決しようとする課題】
【０００５】
本発明はこのような問題に鑑みてなされたものであって、その目的とするところは、工具が不要として比較的軽い力で扉の開放が可能で、かつ開放時に部品の飛び散るのを防止した受け座を提供することである。
【課題を解決するための手段】
【０００６】
このような課題を達成するために請求項１の発明は、扉錠のラッチを係止して扉を閉止状態に維持する扉錠用の受け座において、前記ラッチを係止するラッチ係止部材が、扉の開放方向に移動可能に、外部操作可能な解除部材により固定が解除される固定手段を介して受け座本体に装填されている。
【０００７】
請求項２の発明は、前記ラッチ係止部材に保持部材が設けられ、前記受け座本体には前記保持部材を所定位置まで移動可能とする溝が形成されている。
【０００８】
請求項３の発明は、前記ラッチ係止部材が、ラッチ挿入窓形成部と前板部との２つの部材により構成され、前記前板部と前記ラッチ挿入窓形成部との相対距離が調整可能に構成されている。
【０００９】
請求項４の発明は、前記固定手段は、常時は付勢手段により前記受け座本体に係合する位置を維持し、前記解除部材が操作されたとき前記受け座本体から退避する方向に移動するように構成されている。
【００１０】
請求項５の発明は、前記固定手段が斜面を有し、前記解除部材が操作されたとき前記斜面に沿って移動することにより固定が解除される。
【００１１】
請求項６の発明は、前記受け座本体の前記固定手段の前記斜面に対向する位置に前記斜面とに係合する第２の斜面が形成されていて、前記ラッチ係止部材が前記扉の閉止方向への移動により後退するように構成されている。
【００１２】
請求項７の発明は、前記ラッチ係止部材と前記受け座本体との間に、前記ラッチ係止部材を前記扉の開放方向に付勢する付勢部材が介装されている。
【発明の効果】
【００１３】
請求項１の発明によれば、閉じ込められた時点で解除部材を操作することによりラッチ形成部材が受け座本体から移動可能となるので、軽い力で扉を開放することができるため、力づくで解放する従来のものに比較して構成部品を無用に飛散させたり、また勢いあまって転倒するのを防止できる。
【００１４】
請求項２の発明によれば、ラッチ係止部材に保持部材が設けられているからラッチ係止部材が受け座本体から開放された状態でも保持部材により拘束されるため、ラッチ係止部材が飛散したり、また扉が所定の位置で停止して一気に開放してしまうのを防止できる。
【００１５】
請求項３の発明によれば、前記ラッチ係止部材を構成するラッチ挿入窓形成部と前板部との相対距離を調整することにより、ラッチ係止位置を適正な位置に設定できる。
【発明を実施するための最良の形態】
【００１６】
図１−Ａは、本発明の扉用の受け座を取り付けた状態を示すものであって、受け座本体１に設けられた解除部材としての非常脱出用釦２が戸当たりＡから若干、部屋側に突出するように框Ｂに受け座化粧板３を介して固定されている。
【００１７】
受け座化粧板３には、ラッチ係止部材４を外側、つまり扉の開放側に移動可能とするための切り欠き部３ａが形成されている。
【００１８】
このような構造により、非常脱出用釦２を閉じ込められた部屋の側から外側（矢印Ｃの方向）に押すと、図１−Ｂに示したようにラッチ係止部材４の両側（図中上下）に組み込まれた解除部材により固定が解除される固定手段としての固定用ラッチ５が内側に移動し、受け座本体１に係止されていたラッチ係止部材４に組み込まれているバネ７の付勢力により飛び出し、図２(イ)に示したようにラッチ挿入窓８が框Ｂよりも突出して扉Ｄを開放できる程度にラッチボルトＥとの係合を緩和する。
【００１９】
このようにラッチ係止部材４が突出した場合にも、ラッチ係止部材４の両側（図中、上下）に設けられた弾性変形可能で、受け座本体１に形成された溝９、９にガイドされる保持部材１０、１０により突出量Ｌが制限されている。このように保持部材１０，１０によりラッチ係止部材４の突出量が短い距離に制限されているため、ラッチ係止部材４が飛散したり、また扉Ｄが所定の位置で停止して一気に開放してしまうのを防止できる。
【００２０】
この状態で、図２(ロ)に示したようにさらに指などによりラッチ係止部材４を矢印Ｆで示す方向に押すと、保持部材１０が撓むためラッチボルトＥがラッチ挿入窓８からはずれ、扉を開放することができる。
【００２１】
このようにして脱出した後は、突出しているラッチ係止部材４をバネ７の付勢力に抗して元の位置に押し込むと、ラッチ係止部材４は保持部材１０、１０と溝９、９とにガイドされて後退し、その過程で固定用ラッチ５の斜面５ａが、受け座本体１の前端に形成されている斜面１ａにより内側（図１−ｂの矢印Ｇ、Ｇ’の方向）に押されて斜面１ａを乗り越える。そして裏面に形成されている平面１ｂが固定用ラッチ５の平面５ｂに係合する。なお、図中符号１０ａは、保持部材１０の他端に形成された抜け防止用の凸部で、所定の位置まで突出した状態で受け座本体１に係止されるものである。
【００２２】
言うまでも無く、受け座本体１及び固定用ラッチ５はそれなりの強度を維持するように構成されているから、扉に少々大きな力が作用してもラッチ係止部材４が外れるようなことがなく、扉錠のラッチ用受け座として十分に機能する。
【００２３】
なお、上述の実施例においては、ラッチ係止部材４の脱落、飛散を両側（図中、上下方向の両側）に設けた２本の保持部材１０、１０により防止しているが、図１−Ｃに示したように略中心線上に１本の保持部材１０’と、これをガイドする溝（図示せず）を設けても同様の作用を奏することは明らかである。
【００２４】
図３は受け座化粧板３を外して示すもので、非常用脱出釦２は、受け座本体１の凹部にガイドされ、かつ先端１１ａが固定用ラッチ５を操作できる程度の位置まで延びるアーム１１が形成されている。一方、固定用ラッチ５は、図４、５に示したようにアーム１１の先端側に斜面５ａが、また対向する側、つまり外側には平面部５ｂが形成されていて、上下方向に移動可能にバネ１２、１２により外側に付勢された状態でラッチ係止部材４の凹部４ａに挿入されている。凹部４ａの先端には壁４ｂが形成されていて、固定用ラッチ５の飛び出しを防止する構造となっている。
【００２５】
さらにこの実施例ではラッチ係止部材４は、図６に示したようにラッチ挿入窓形成部４１と前板部４２との２つの部材により構成されていて、前板部４２に係合するネジ１３によりラッチ挿入窓形成部４１をバネ７に抗して相対的に移動可能に構成されている。これにより挿入孔１４（図１−Ａ）から六角レンチなどの工具１５によりネジ１３を回動することにより扉錠のラッチの係止位置を適正な位置に設定できる。
【００２６】
またバネ７は、ラッチ係止部材４が突出した際（図１−Ｂ）に抜け出さないように、図７に示したように受け座本体１にバネ７の外周に接するガイド壁部１ｃ、１ｃと、係り溝部１ｄとを形成するとともにバネ７の端部に直線状の巻き残し端部７ａを形勢し、この巻き残し端部７ａを係り溝部１ｄに係合させるようにバネ７をガイド壁部１ｃ、１ｃに装填して保持されている。
【００２７】
上述の実施例のおいては解除部材としての非常脱出用釦２を閉じ込められた部屋の側から外側に押すことにより、ラッチボルトＥとの係合を緩和するように構成しているが、ラッチボルトの軸方向（図中、紙面に垂直な方向）に押し込むことにより解除できるように構成することもできる。
【００２８】
すなわち、図８に示したように先端１１ａ’が固定用ラッチ５’、５’に到達し、後端が非常脱出用釦２’に到達し、かつ非常脱出用釦２’の紙面に垂直な方向（図９（ロ）の矢印Ｆの方向）への押圧により（後端を）拡開方向に移動させる斜面１１ｂ’（図９（イ））を備えたアーム１１’、１１’を軸２０により回動可能に取り付ける一方、釦２’には図９（ロ）に示したようにアーム１１’の斜面１１ｂ’と共同してアーム１１’を回動させる斜面２ａ’が形成されている。
【００２９】
この実施例によれば、非常脱出用釦２’を框Ｂに押し付けると、釦２’に設けられた斜面２ａ’によりアーム１１’の後端が軸２０を中心として外側（図中、上下方向）に広がるため、先端１１ａ’が固定用ラッチ５’、５’をバネ１２、１２に抗して後退させて係止部である平面１ｂとの係合を解除する。
【００３０】
これにより、前述したように受け座本体１に係止されていたラッチ係止部材４に組み込まれているバネ７の付勢力により飛び出し、図２(イ)に示したようにラッチ挿入窓８が框Ｂよりも突出して扉Ｄを開放できる程度にラッチボルトＥとの係合を緩和する。
【００３１】
このようにラッチ係止部材４が突出した場合にも、ラッチ係止部材４の両側（図中、上下）に設けられた弾性変形可能で、受け座本体１に形成された溝９、９にガイドされる保持部材１０、１０により突出量Ｌが制限されている。このように保持部材１０，１０によりラッチ係止部材４の突出量が短い距離に制限されているため、ラッチ係止部材４が飛散したり、また扉Ｄが所定の位置で停止して一気に開放してしまうのを防止できる。
【００３２】
一方、脱出した後は、突出しているラッチ係止部材４をバネ７の付勢力に抗して元の位置に押し込むと、ラッチ係止部材４は保持部材１０、１０と溝９、９とにガイドされて後退し、その過程で固定用ラッチ５の斜面５ａが、受け座本体１の前端に形成されている斜面１ａにより内側（中心方向）に押されて斜面１ａを乗り越え、裏面に形成されている平面１ｂが固定用ラッチ５の平面５ｂが係合して正常な状態に復帰する。
【図面の簡単な説明】
【００３３】
【図１−Ａ】本発明の受け座の一実施例を框に取り付けた状態で示す図である。
【図１−Ｂ】同上受け座のラッチ係止部材が突出した状態で示す図である。
【図１−Ｃ】同上受け座のラッチ係止部材が突出した状態で他の実施例を示す図である。
【図２】図(イ)、(ロ)は、それぞれ本発明の受け座のラッチ係止部材が突出した直後、及びラッチボルトとの係合を解除する状態を示す図である。
【図３】本発明の受け座の一実施例を示す正面図である。
【図４】図３におけるＡ−Ａ線での断面図である。
【図５】図３におけるＢ−Ｂ線での断面図である。
【図６】ラッチ係止部材に一実施例を示す図である。
【図７】ラッチ係止部材を付勢するバネの固定構造の一実施例を示す図である。
【図８】本発明の受け座の他の実施例を示す正面図である。
【図９】図(イ)、(ロ)は、同上受け座を構成するアームと非常脱出釦とを示す図である。
【符号の説明】
【００３４】
１  受け座本体    ２、２’  解除部材としての非常脱出用釦    ３  受け座化粧板    ４  ラッチ係止部材    ５、５’  固定用ラッチ    ７  バネ    ８  ラッチ挿入窓    ９  溝    １０、１０’  保持部材    １１、１１’  アーム    Ａ  戸当たり    Ｂ  框    Ｄ  扉    Ｅ  ラッチボルト
【図１−Ａ】
2006257639.tif 000003
【図１−Ｂ】
2006257639.tif 000004
【図１−Ｃ】
2006257639.tif 000005
【図２】
2006257639.tif 000006
【図３】
2006257639.tif 000007
【図４】
2006257639.tif 000008
【図５】
2006257639.tif 000009
【図６】
2006257639.tif 000010
【図７】
2006257639.tif 000011
【図８】
2006257639.tif 000012
【図９】
2006257639.tif 000013